(57)【要約】      （修正有）【課題】暗がりで足元の障害物や段差の見落としに起因する転倒、転落事故等杖使用者の事故防止と、事故防止に役立つ安価にして明るい光る杖に改造できる照明具を提供する。【解決手段】電池と電池ボックスと光源と発光回路と電源スイッチと螺合部を有する本体１と、杖シャフトＴＳに固定する本体保持部とからなる杖底面照明具であって、本体が本体保持部に螺合・固定されることを特徴とする。【選択図】図１
0003196597.tif 000002
【実用新案登録請求の範囲】
【請求項１】
電池と電池ボックスと光源と発光回路と電源スイッチと螺合部を有する本体と、杖シャフトに固定する本体保持部と該保持部の螺合部に螺合する底面照明具を有する杖底面照明具。
【請求項２】
請求項１に記載の照明具を有することを特徴とする発光杖。
【考案の詳細な説明】
【技術分野】
【０００１】
本考案は、杖用照明具に関する。
【背景技術】
【０００２】
歩行時に杖を必要とする人達が遭遇する事故の内、暗がりで足元の障害物や段差の見落としに起因する転倒、転落事故の発生件数が多発しており、特に事故率が高い高齢者用の事故予防対策として、杖使用者の存在確認と足元照明となる発光機能を備えた光る杖が求められている。
特許文献１では発光機能と転倒時の音声表示機を備えた杖（特開２０１０−０６３８６８）が提唱されており、又特許文献２（特開２００２−２６２９１３）ではハンドル部から前方を照射する方式が提唱されている
さらに、本考案者による考案である（第３１９１０２８や第３１９０６２４）では前方および足元を照明する後付け方式の杖用照明具が提唱されている。
しかし、杖使用者が恐怖を感じると言われる下り階段や急な下り坂で杖の付き先を効果的に照明する物はなかった。
さらに、けが人や障害者が使う松葉杖用の杖先照明も知られていない。
【０００３】
従来の光る杖は予め光る杖として設計、商品化されたものを購入するため高価な物であるが、例えば使用中の杖の通称ゴム足と呼ばれる部分（以下、これをゴム足という。）を取り替える様に、簡単な加工で使用者が所有する杖を光る杖に出来る経済的で便利な杖用の照明具が求められていた。  
また従来の杖では、杖前方を照らす照明は知られているが、階段を下りる場合には、足元の階段部分は暗いままであり、踏み外しかねないという問題点があった。
【先行技術文献】
【特許文献】
【０００４】
【特許文献１】特開２０１０−０６３８６８号公報
【特許文献２】特開２００２−２６２９１３号公報
【特許文献３】実用新案登録第３１９１０２８号公報
【特許文献４】実用新案登録第３１９０６２４号公報
【考案の概要】
【考案が解決しようとする課題】
【０００５】
本考案は、階段を下りる際に階段部を照らして安全に階段を降りることのできる杖用照明具を提供する。
【課題を解決するための手段】
【０００６】
前記課題を解決するため本考案は杖のゴム足兼用、あるいは杖先の所定の位置に設ける照明具で、例えば光源と発光回路と電源スイッチと電源電池を備えた本体を、杖シャフトに固定した本体保持部に螺合してゴム足兼用の簡単な照明具と為し、杖使用者が手持ちの杖に取付けて杖の突き先の安全確認ができる使い易い安価な杖用照明具を提供する。
【０００７】
杖用照明具は防水型が好ましい。
発光部および本体は単一素材で形成するのが好ましいが、複数素材を組合せてもよい。
照明具は、樹脂材やゴム材等の弾性材が好ましいが、他の素材を用いてもよい。
本体は、分割可能な構造が好ましいが非分割の一体形でもよい。  
照明具は、電源スイッチを用いるのが好ましい。
電源スイッチは本体に設けるのが好ましいが、本体から分離して別所に設けてもよい。
照明具は、電池交換可能型が好ましいが、交換が出来なくてもよい。
照明具は、杖シャフトの先端部に設けるのが好ましいが任意の位置でもよい。
電池は、一次電池が好ましいが、二次電池を用いてもよい。
光源は、LEDが好ましいが、他の物でもよい。
【０００８】
光源は、単数使用が好ましいが複数使用してもよい。
光源には、反射鏡あるいは導光体を用いるのが好ましいが、使わなくてもよい。
光源カバーは、付ける事が好ましいが、なくてもよい。
点灯回路は、ステップアップ回路を用いるのが好ましいが、用いなくてもよい。
点灯回路には、電流帰還制御回路を用いるのが好ましいが、用いなくてもよい。
杖装着部と杖シャフトの装着は、クリップ止めが好ましいが差込やベルト等他の装着方法でもよい。
杖装着部と杖シャフトの装着には接着剤や接着機能を有する各種テープを用いて補強するのが好ましいが、補強しなくてもよい。
【考案の効果】
【０００９】
本考案の照明具は、発光機能のない杖を簡単な改造で光る杖化して、杖の突き先を照らして杖突き位置の安全を確認するもので、上記改造により夜間や雨中における不適当な場所への杖突きに起因する事故の予防効果を有する。
また、下り階段の時に階段部分を照らすことができるので、踏み外すことなく安全に降りる事ができる。
【図面の簡単な説明】
【００１０】
【図１】実施例１、杖用照明具１００の斜視図
【図２】図１のＸ−Ｘ’の断面図
【図３】実施例２、杖用照明具２００の斜視図
【図４】図３のＹ−Ｙ’の断面図
【図５】実施例３、杖用照明具３００の横断面図。
【図６】杖用照明具３００の分離独立型発光部の斜視図
【図７】回路図
【考案を実施するための形態】
【００１１】
以下、図面を使って説明する。
図１は杖底面照明具１００の斜視図、図2は図１Ｘ−Ｘ´の断面図である。
実施例１は、螺合部１Ｄｔと連通穴を有する本体保持部１Ｂと、反射鏡２Ｍを有するＬＥＤ光源２、光源カバー２Ｃ、発光回路３、電池４を有する電池ボックス４C、スイッチ５と杖シャフトＴＳ挿入部と止圧板ＴＳＴを有し上部に螺合部１Ｄｈを備えた本体１とにより概略構成する。
杖底面照明具１００は、前記ゴム足の交換をする程度の簡単な改造作業で発光機能のない普通の杖を光る杖化するものである。
【００１２】
前記本体１Ｂは、杖シャフトＴＳの所定の位置に差込固定する物である。
本体１Ａは、電池４と発光回路３とスイッチ５を有してＬＥＤ光源２の点灯に必要な要素を全て備えたもので、本体１の螺合部１Ｄｈを本体保持部１Ｂの螺合部１Ｄｔに螺合して底面を照明出来るものとなると共に、ゴム材の使用によりゴム足を兼ねた杖底面照明具１００となる。
本体１下側の底面中心部に設けた光源カバー２Ｃと反射鏡２Ｍを有するＬＥＤ光源２は、スイッチ５のＯＮにより杖底面、すなわち杖先を照らす。
また、シャフトＴＳは本体螺合時、電池ボックス４Cと発光回路３をシャフト９内に収納しながら下方に進み止圧板ＴＳＴで止まることにより、本体１がゴム足としても機能するようになる。
【００１３】
前記杖底面照明具１００は、杖シャフトＴＳの所定の位置に本体保持部１Ｂを差込固定した後、本体１Ａを螺合して光る杖化するもので、杖使用時はスイッチをＯＮすれば常に杖の突き先を照らして、杖使用者の下り階段や段差、あるいは急な下り坂歩行時の前記不安解消に役立つと共に、不安定な場所への突きによる事故を予防する。
なお、杖底面照明具１００は、螺合部２Ｄｔと螺合部１Ｄｈを省略して本体保持部１Ｂと本体１を一体化した本体にして、短期間の杖使用が予想される場合等に便利な使い捨て型の安価な照明具にする事ができる。
【００１４】
図３は、実施例２の照明具２００の斜視図、図４は図３Ｙ−Ｙ´の断面図である。
杖用照明具２００は、２箇所に設けたＬＥＤ光源２２a、２２ｂと電源スイッチ２５と発光回路２３とヒンジ２１Ｐを軸に開閉する蓋２１Ｆと、電池４を格納し外部にベルト穴２１Ｂｈa、２１Ｂｈbとクリップ型の杖装着部２1Qを有する本体２１により概略構成する。
実施例２は、本考案者の登録済み実用新案３１９１０２８で提唱した前方照明機能を有する杖用照明具の底部にＬＥＤ光源を設けて杖底面照明の機能を加えて杖用照明具２００としたものである。
【００１５】
杖用照明具２００は、Ｃ字型のバネ性を有するクリップ形の杖装着部２1Qを用いて使用中の杖のゴム足はそのままの状態でも簡単にシャフトに装着出来るもので、前方照明が有する杖歩行者の視認性向上と前方の安全確認機能に杖底面、すなわち杖の突き先照明機能を加えて下り階段における不安を解消することにより、杖使用者の前記事故の予防に役立てるものであり、さらに松葉杖にも装着する事もできる。
【００１６】
なお、ベルト穴２１Ｂｈa、２１Ｂｈbはクリップ形の杖装着部２１Ｑの装着強度を必要により補足するための物である。
上述の杖用照明具２００は、前方を照らすＬＥＤ光源２２aと底面杖先を照らすＬＥＤ光源２２ｂとによって、前方と杖の突き先を照らして前記事故を予防する。
【００１７】
図５、図６に示す実施例３は、前記実施例２の底部に設けていたＬＥＤ光源を切り離して結線する独立型のＬＥＤ光源２２ｂとしたものである。
従って、ほぼ同形に見える斜視図を省略して、内部構造を示す断面図（図５）と独立型のＬＥＤ光源２２ｂの斜視図（図６）により相違点を説明すると共に、重複箇所の符号を共用し重複部の説明は省略する。
実施例３は、杖先の構造によって前記照明具の杖先照明効果が阻害される場合を想定して作られた物で、例えば四足型の杖先を有する杖の四足間下側の任意の場所に下向きに取り付けて杖先を照らして上記阻害問題を解決するとすると共に、前方と杖先を照らして前記事故を予防する。
【００１８】
上述の如く本考案は、杖底面となる杖先を照明する事により下り階段や段差あるいは給な下り坂における杖の突き先の見難さを解消するものである。
【符号の説明】
【００１９】
１００・・・実施例１の照明具
２００・・・実施例２の照明具
３００・・・実施例３の照明具
ＴＳ・・・杖のシャフト
ＴＳＴ・・・止圧板
Ｇ・・・ゴム足
１・・・実施例１の本体
１Ｂ・・・実施例１の本体固定部
１Ｄｈ・・・本体の螺合部
１Ｄｔ・・・本体固定部１Ｂの螺合部
２・・・ＬＥＤ光源
２Ｃ・・・光源カバー
２Ｍ・・・反射鏡
３・・・・発光回路
４・・・・電池
４Ｃ・・・電池ボックス
５・・・・スイッチ
２１・・・実施例２の本体
２１Ｆ・・・本体の蓋部
２１Ｐ・・・ヒンジ
２１Ｑ・・・クリップ形止め具
２１ｈａ、２１ｈｂ補強用ベルト穴
２２ａ・・・上部ＬＥＤ光源
２２ｂ・・・下部ＬＥＤ光源
２２Ｃ・・・光源カバー
２３・・・・発光回路
２４・・・・電池
３１・・・実施例３の本体
３２ｂ・・分離独立型のＬＥＤ光源
【図１】
0003196597.tif 000003
【図２】
0003196597.tif 000004
【図３】
0003196597.tif 000005
【図４】
0003196597.tif 000006
【図５】
0003196597.tif 000007
【図６】
0003196597.tif 000008
【図７】
0003196597.tif 000009
【手続補正書】
【提出日】平成27年1月22日(2015.1.22)
【手続補正１】
【補正対象書類名】実用新案登録請求の範囲
【補正対象項目名】請求項１
【補正方法】変更
【補正の内容】
【請求項１】
電池と電池ボックスと光源と発光回路と電源スイッチと螺合部を有する本体と、杖シャフトに固定する本体保持部とからなる杖底面照明具であって、本体が本体保持部に螺合・固定されることを特徴とする杖底面照明具。